(57)【要約】【課題】本考案の目的は、抱き枕としてのデザイン性の向上を図るとともに、その使用感を向上させ、さらには応援グッズとしても使用することができる、多用途の使用が可能となる抱き枕を提供せんとするものである。【解決手段】全体形状がグリップエンド部１の先にくびれ部２を形成し、そのくびれ部２の先に本体部３を形成して、全体がバット形状を呈する抱き枕４を構成し、この抱き枕４の本体部３位置に腕を差し込んで貫通させることが可能となる貫通孔５を形成したことを特徴とする。【選択図】図１
0003151616.tif 000002
【実用新案登録請求の範囲】
【請求項１】
全体形状がグリップエンド部１の先にくびれ部２を形成し、そのくびれ部２の先に本体部３を形成して、全体がバット形状を呈する抱き枕４を構成し、この抱き枕４の本体部２位置に腕を差し込んで貫通させることが可能となる貫通孔５を形成したことを特徴とする抱き枕。
【請求項２】
抱き枕４の表面素材６をポリエステル系繊維又はナイロン系繊維で形成し、表綿素材６の内部に充填される充填材７をポリエステル綿又は発泡ポリスチレンで形成したことを特徴とする請求項１記載の抱き枕。
【請求項３】
抱き枕４の長さ寸法Ｌ１を８０〜１３０ｃｍとし、抱き枕４の本体部３の最大直径部寸法Ｌ２を２０〜４０ｃｍとしたことを特徴とする請求項１又は２記載の抱き枕。
【考案の詳細な説明】
【技術分野】
【０００１】
本考案は、横たわって抱きついて安眠することができ、さらに野球場などの競技場においては、スポーツ応援用の応援グッズとしても使用することができる抱き枕に関する。
【背景技術】
【０００２】
従来より、横たわって抱きつきながら使用する、使用者に安らぎを与えて安眠を助けるための抱き枕が知られている。
この抱き枕は、布帛などを縫製して所定の抱き枕形状としてなる枕外皮の内部に、カポック（パンヤ）、羽毛、スポンジ、ウレタン等を充填して製造されていた。
【特許文献１】実用新案登録第３０３７４９５号公報
【特許文献２】特開２００９−１１７９５号公報
【考案の開示】
【考案が解決しようとする課題】
【０００３】
ところで、上記した従来の抱き枕の形状は、略円柱状の形態をしたものがほとんどであり、かつその抱き枕に貫通孔が形成されたものは存在していなかった。
そのため、従来の抱き枕は、抱き枕としてのデザインの変化性、面白みに欠け、さらには使用感の向上にも欠け、就寝時以外の使用には不向きであるなどの課題があった。
【０００４】
本考案の目的は、抱き枕としてのデザイン性の向上を図るとともに、その使用感を向上させ、さらには応援グッズとしても使用することができる、多用途の使用が可能となる抱き枕を提供せんとするものである。
【課題を解決するための手段】
【０００５】
前記課題を解決するために、請求項１に記載の考案は、全体形状がグリップエンド部１の先にくびれ部２を形成し、そのくびれ部２の先に本体部３を形成して、全体がバット形状を呈する抱き枕４を構成し、この抱き枕４の本体部２位置に腕を差し込んで貫通させることが可能となる貫通孔５を形成したことを特徴とする抱き枕である。
【０００６】
請求項２に記載の考案は、抱き枕４の表面素材６をポリエステル系繊維又はナイロン系繊維で形成し、表綿素材６の内部に充填される充填材７をポリエステル綿又は発泡ポリスチレンで形成したことを特徴とする請求項１記載の抱き枕である。
【０００７】
請求項３に記載の考案は、抱き枕４の長さ寸法Ｌ１を８０〜１３０ｃｍとし、抱き枕４の本体部３の最大直径部寸法Ｌ２を２０〜４０ｃｍとしたことを特徴とする請求項１又は２記載の抱き枕である。
【考案の効果】
【０００８】
上記の請求項１乃至３の考案によれば、全体がバット形状を呈する抱き枕であるから、従来存在しなかった新奇なデザインとして面白みが生まれるという効果があり、かつ貫通孔５に腕を差し込んで貫通させることができるため、抱き枕４が身体と一体的で離れにくいものとなり、使い易さが向上するという効果がある。
【０００９】
さらに、この抱き枕４は、野球場などで振り回して応援グッズとして利用することもでき、安全で持ち易い応援グッズとなる効果がある。
【考案を実施するための最良の形態】
【００１０】
以下添付図面に基づいて、本考案に係る抱き枕の一実施の形態を詳説するが、本考案はこれらの実施の形態に制限されるものではない。
図１は、本考案に係る抱き枕の正面図であり、図２は同抱き枕の使用状態を示す縦断面図である。
【００１１】
図１及び図２に示されるごとく、本考案の抱き枕４は、全体形状がグリップエンドエンド部１（バットのグリップエンドに相当）の先にくびれ部２が形成されており、そのくびれ部２の先には本体部３が形成されているから、全体がバット形状を呈する抱き枕４が完成する。
【００１２】
このくびれ部２は、抱き枕４のなかで直径が細い部分となるため、そこに腕を回したり、あるいは脚を絡ませたりするのに都合の良いものとなる。
【００１３】
さらに、抱き枕４を応援グッズとして使用する際には、くびれ部２を手で握り締めて全体を振り回したりして使用することもできる。この抱き枕４は、全体が柔らかい材料で形成されているから、これを振り回しても、周囲に危険を及ぼすおそれはまったくない。
【００１４】
ついで本考案の抱き枕４の本体部３には、貫通孔５が形成されており、その貫通孔５には腕を差し込むことができるため、片腕を貫通孔５に差し込んで本体部３を抱き込むように使用すると、抱き枕４が身体に密着して離れにくくなり、睡眠時でも常に抱き枕４が身体に密着した状態が確保され、より強く抱きかかえながら安眠が図られる結果となる。
この使用状態が可能となることで、最近流行の中高年の肺活量の増大化を目的とするうつ伏せ寝に適するという効果を発揮する。
【００１５】
本考案の抱き枕４の表面素材６をポリエステル系繊維又はナイロン系繊維で形成し、表綿素材６の内部に充填される充填材７をポリエステル綿又は発泡ポリスチレンで形成すると、表綿素材６は強度に優れ破れにくくなり、充填材７は適度の弾性を確保できて使用感を向上させるのに適するものとなる。
【００１６】
さらに本考案の抱き枕４の長さ寸法Ｌ１を、８０〜１３０ｃｍとし、抱き枕４の本体部３の最大直径部寸法Ｌ２を２０〜４０ｃｍとすると、抱きついたり振り回したりするのに適切な大きさとなり、抱き枕としての使用性を一層向上させる効果がある。
【産業上の利用可能性】
【００１７】
本考案の抱き枕は、抱き枕としての使い易いものを望む現場、さらには野球場をはじめとするあらゆるスポーツ、イベントの現場において重宝に利用することが可能である。
【図面の簡単な説明】
【００１８】
【図１】本考案に係る抱き枕の正面図である。
【図２】同抱き枕の使用状態を示す縦断面図である。
【符号の説明】
【００１９】
１ …グリップエンド部
２ …くびれ部
３ …本体部
４ …抱き枕
５ …貫通孔
６ …表面素材
７ …充填材
Ｌ１ …抱き枕４の長さ寸法
Ｌ２ …本体部３の最大直径部寸法
【図１】
0003151616.tif 000003
【図２】
0003151616.tif 000004
【手続補正書】
【提出日】平成21年4月22日(2009.4.22)
【手続補正１】
【補正対象書類名】明細書
【補正対象項目名】０００５
【補正方法】変更
【補正の内容】
【０００５】
前記課題を解決するために、請求項１に記載の考案は、全体形状がグリップエンド部１の先にくびれ部２を形成し、そのくびれ部２の先に本体部３を形成して、全体がバット形状を呈する抱き枕４を構成し、この抱き枕４の本体部３位置に腕を差し込んで貫通させることが可能となる貫通孔５を形成したことを特徴とする抱き枕である。
【手続補正２】
【補正対象書類名】明細書
【補正対象項目名】０００６
【補正方法】変更
【補正の内容】
【０００６】
請求項２に記載の考案は、抱き枕４の表面素材６をポリエステル系繊維又はナイロン系繊維で形成し、表面素材６の内部に充填される充填材７をポリエステル綿又は発泡ポリスチレンで形成したことを特徴とする請求項１記載の抱き枕である。
【手続補正３】
【補正対象書類名】明細書
【補正対象項目名】００１５
【補正方法】変更
【補正の内容】
【００１５】
本考案の抱き枕４の表面素材６をポリエステル系繊維又はナイロン系繊維で形成し、表面素材６の内部に充填される充填材７をポリエステル綿又は発泡ポリスチレンで形成すると、表面素材６は強度に優れ破れにくくなり、充填材７は適度の弾性を確保できて使用感を向上させるのに適するものとなる。
【手続補正４】
【補正対象書類名】実用新案登録請求の範囲
【補正対象項目名】全文
【補正方法】変更
【補正の内容】
【実用新案登録請求の範囲】
【請求項１】
全体形状がグリップエンド部１の先にくびれ部２を形成し、そのくびれ部２の先に本体部３を形成して、全体がバット形状を呈する抱き枕４を構成し、この抱き枕４の本体部３位置に腕を差し込んで貫通させることが可能となる貫通孔５を形成したことを特徴とする抱き枕。
【請求項２】
抱き枕４の表面素材６をポリエステル系繊維又はナイロン系繊維で形成し、表面素材６の内部に充填される充填材７をポリエステル綿又は発泡ポリスチレンで形成したことを特徴とする請求項１記載の抱き枕。
【請求項３】
抱き枕４の長さ寸法Ｌ１を８０〜１３０ｃｍとし、抱き枕４の本体部３の最大直径部寸法Ｌ２を２０〜４０ｃｍとしたことを特徴とする請求項１又は２記載の抱き枕。